【手続補正書】
【提出日】平成17年1月11日(2005.1.11)
【手続補正１】
【補正対象書類名】明細書
【補正対象項目名】発明の名称
【補正方法】変更
【補正の内容】
【発明の名称】端末装置とその処理方法
【手続補正２】
【補正対象書類名】明細書
【補正対象項目名】特許請求の範囲
【補正方法】変更
【補正の内容】
【特許請求の範囲】
【請求項１】
少なくとも電話通信回線と接続され、通信を行うことのできる電話機能手段と、
各種情報処理を行うことのできる情報処理機能手段と、
表示手段と、
前記表示手段上での操作位置を検出する操作位置検出手段と、
前記操作位置検出手段で検出された操作位置に対応する、前記表示手段上での表示内容により、操作内容を判別する操作判別手段と、
前記電話機能手段による動作が選択された際には、前記表示手段に電話操作用の画像を表示させるとともに、前記操作判別手段で判別される操作内容に応じて前記電話機能手段の動作が実行されるようにし、また前記情報処理機能による動作が選択された際には、前記表示手段に情報処理操作用の画像を表示させるとともに、前記操作判別手段で判別される操作内容に応じて前記情報処理機能手段の動作が実行されるようにする制御手段と、
を備えたことを特徴とする端末装置。
【請求項２】
前記制御手段は、前記表示手段に初期選択画像を表示させるとともに、前記初期選択画像が表示されている際に前記操作判別手段で判別される操作内容に応じて、前記電話機能手段による動作と前記情報処理機能手段による動作の一方が選択されたと判別することを特徴とする請求項１に記載の端末装置。
【請求項３】
前記情報処理機能手段はデータ通信回線と接続され、外部の情報処理システムとのデータ通信を介した情報処理動作が可能とされていることを特徴とする請求項１に記載の端末装置。
【請求項４】
前記操作位置検出手段は、前記表示手段の画面上の操作位置を検出するタッチセンサとされていることを特徴とする請求項１に記載の端末装置。
【請求項５】
前記制御手段は、前記表示手段に表示させる情報処理操作用の画像の一部又は全部として、操作入力装置の画像を表示させることを特徴とする請求項１に記載の端末装置。
【請求項６】
少なくとも電話通信回線と接続され、通信を行うことのできる電話機能手段と、
各種情報処理を行うことのできる情報処理機能手段と、
表示手段と、
前記表示手段上での操作位置を検出する操作位置検出手段と、
前記操作位置検出手段で検出された操作位置に対応する、前記表示手段上での表示内容により、操作内容を判別する操作判別手段と、
を備えた端末装置の処理方法として、
前記電話機能手段による動作が選択されることに応じて、前記表示手段に電話操作用の画像を表示させるとともに、前記操作判別手段で判別される操作内容に応じて前記電話機能手段の動作が実行されるようにするステップと、
前記情報処理機能による動作が選択されることに応じて、前記表示手段に情報処理操作用の画像を表示させるとともに、前記操作判別手段で判別される操作内容に応じて前記情報処理機能手段の動作が実行されるようにするステップと、
を備えたことを特徴とする端末装置の処理方法。
【手続補正３】
【補正対象書類名】明細書
【補正対象項目名】０００１
【補正方法】変更
【補正の内容】
【０００１】
【発明の属する技術分野】
本発明は少なくとも電話回線に接続される端末装置に関し、例えば不特定多数のユーザーが任意に、電話装置としての使用とコンピュータ装置としての使用を行うことのできる端末装置とその処理方法に関するものである。


【手続補正４】
【補正対象書類名】明細書
【補正対象項目名】０００７
【補正方法】変更
【補正の内容】
【０００７】
このため端末装置としては、少なくとも電話通信回線と接続され、通信を行うことのできる電話機能手段と、各種情報処理を行うことのできる情報処理機能手段とを設けることで、いわゆるコンピュータ装置としての使用と電話装置としての使用を可能とする。
そしてさらに表示手段と、表示手段上での操作位置を検出する操作位置検出手段と、操作位置検出手段で検出された操作位置に対応する表示手段上での表示内容により、操作内容を判別する操作判別手段とを設けることで、表示画面上に例えば指で触れるなどの態様での操作を可能とする。
そして制御手段としては、電話機能手段による動作が選択された際には、表示手段に電話操作用の画像を表示させるとともに、操作判別手段で判別される操作内容に応じて電話機能手段の動作が実行されるようにする。また情報処理機能による動作が選択された際には、表示手段に情報処理操作用の画像を表示させるとともに、操作判別手段で判別される操作内容に応じて情報処理機能手段の動作が実行されるようにする。
また端末装置の処理方法としては、前記電話機能手段による動作が選択されることに応じて、前記表示手段に電話操作用の画像を表示させるとともに、前記操作判別手段で判別される操作内容に応じて前記電話機能手段の動作が実行されるようにするステップと、前記情報処理機能による動作が選択されることに応じて、前記表示手段に情報処理操作用の画像を表示させるとともに、前記操作判別手段で判別される操作内容に応じて前記情報処理機能手段の動作が実行されるようにするステップとを備えるようにする。
即ちユーザーの使用目的に合わせて表示内容を切り換え、その使用に必要な操作用画像の表示（例えばタッチパネル方式に対応する操作子の表示）を行うことで、ユーザーの操作を簡易なものとする。
またユーサーの使用目的、即ち電話使用かコンピュータ使用かの判断は、例えば送受話器が持ち上げられることや、ディスク等のメディアが装填されることなどの動作に応じて判断すれば、ユーザーの使用目的にあった操作用画像の表示が可能となる。


【手続補正５】
【補正対象書類名】明細書
【補正対象項目名】０００８
【補正方法】変更
【補正の内容】
【０００８】
【発明の実施の形態】
以下、本発明の実施の形態としての端末装置とその処理方法について、その端末装置を含む全体のシステム構成と合わせて次の順序で説明する。なお、実施の形態における端末装置を、説明上「公衆端末」と呼ぶこととする。またその端末装置で使用される記録媒体の例としてディスクメディアをあげる。
１．システム形態
２．ディスク
３．公衆端末の構成（第１の構成例）
４．使用手順
５．公衆端末の処理
６．公衆端末の構成（第２の構成例）
７．公衆端末の構成（第３の構成例）


【手続補正６】
【補正対象書類名】明細書
【補正対象項目名】０１００
【補正方法】変更
【補正の内容】
【０１００】
公衆端末１は、設置場所においてステップＦ１０１として表示部１１に初期画面を表示した状態で待機している。
初期画面の例を図１３（ａ）（ｂ）に示す。図１３（ａ）は、公衆電話として使用できることをユーザーに認識させるために、プッシュダイヤル表示１１ａを行うとともに、コンピュータ端末としての使用が可能であることをユーザーに認識させるために、コンピュータ使用選択表示１１ｂを行っている例である。
また図１３（ｂ）は、同じくこれらの使用形態を選択できることをユーザーに認識させるために電話使用とコンピュータ使用の選択を促す使用選択表示１１ｃを行っている例である。もちろん初期画面の例はこれ以外にも各種考えられる。


【手続補正７】
【補正対象書類名】明細書
【補正対象項目名】０１０１
【補正方法】変更
【補正の内容】
【０１０１】
コンピュータ２０は、ステップＦ１０１でこれらのような初期画面を表示させた状態で、ステップＦ１０２，Ｆ１０３，Ｆ１０４の監視処理を行う。
そしてユーザーが電話使用を目的とすると判別した場合は、ステップＦ１０２からＦ１０５に進む。ユーザーが電話使用を目的とするということは、送受話器１８が持ち上げられたことの検出、もしくは図１３（ｂ）のような初期画面に対してユーザーが電話を選択する操作を行ったことの検出により判別する。


【手続補正８】
【補正対象書類名】明細書
【補正対象項目名】０１４７
【補正方法】変更
【補正の内容】
【０１４７】
本発明の請求項１または請求項６によれば、ユーザーの使用目的、即ち電話としての使用かコンピュータ装置としての使用かに応じて、その目的に応じた操作用画像（電話操作用の画像もしくは情報処理操作用の画像）が表示されるため、ユーザーはその表示画像に応じて操作を行えばよく、各機能の動作のための操作を容易に行うことができるという効果がある。
また、表示画面上の操作子、つまり機械的な操作子を用いるものではないため、端末装置として各機能に対応するために多数の操作キー等を配置する必要はなく、端末装置の構成の簡略化を実現できる。またそれによって外観上、ユーザーが、操作が難しそうなイメージを持ってしまうことも解消できる。


【手続補正９】
【補正対象書類名】明細書
【補正対象項目名】０１４８
【補正方法】変更
【補正の内容】
【０１４８】
また端末装置に電話機能による通話を行うための送受話器が持ち上げ可能に備えられるようにした場合、ユーザーが電話装置として使用する場合は、その送受話器を持ち上げる動作を行うことになる。ここで制御手段は、送受話器が持ち上げられたことを電話機能手段による動作が選択されたと判別するようにすれば、ユーザーからみれば送受話器を持ち上げることで電話操作用の画像（例えばプッシュダイヤル画像）が提示されることになり、通常の公衆電話と同様な、非常に簡単な操作となる。


【手続補正１０】
【補正対象書類名】明細書
【補正対象項目名】０１４９
【補正方法】変更
【補正の内容】
【０１４９】
また着脱可能な記録媒体に対応するドライブ手段に記録媒体が装填されたら、制御手段は情報処理機能手段による動作が選択されたと判別することもできる。ユーザーが記録媒体を装填する場合とは、端末装置を用いて何らかの情報処理を行いたい場合であり、従って、記録媒体の装填に応じて情報処理操作用の画像が表示されることで、ユーザーは情報処理機能を選択するような特別な操作なく、表示画像に応じて操作を進めることができる。つまりこれも操作の簡易化に大きく寄与することになる。


【手続補正１１】
【補正対象書類名】明細書
【補正対象項目名】０１５０
【補正方法】変更
【補正の内容】
【０１５０】
また着脱可能な記録媒体に対するドライブ手段が設けられ、  前記制御手段は、前記ドライブ手段に前記記録媒体が装填され、かつその記録媒体が当該端末装置での情報処理動作に対応する記録媒体であると識別されたら、前記情報処理機能手段による動作が選択されたと判別することもできる。この場合、着脱可能な記録媒体として当該端末装置での情報処理動作に対応する記録媒体が用意されることを前提として、ユーザーに情報処理操作用の画像を提示することになるため、ユーザーのディスク等の入れ間違いなどにも対応できたうえで、操作性を向上させることができる。


【手続補正１２】
【補正対象書類名】明細書
【補正対象項目名】０１５１
【補正方法】変更
【補正の内容】
【０１５１】
また着脱可能な記録媒体に対するドライブ手段が設けられ、前記制御手段は、前記ドライブ手段に前記記録媒体が装填され、かつその記録媒体が当該端末装置でのダウンロード処理動作に対応する記録媒体であると識別されたら、前記情報処理機能手段による動作が選択されたと判別するとともに、前記表示手段にダウンロード処理操作用の画像を表示させ、前記操作判別手段で判別される操作内容に応じて前記情報処理機能手段によるダウンロード動作が実行されるようにすることもできる。この場合、着脱可能な記録媒体として当該端末装置でのダウンロード動作に対応する記録媒体が用意されることを前提として、ユーザーにダウンロード操作用の画像を提示することになるため、ユーザーのディスク等の入れ間違いなどにも対応でき、かつ操作性を向上させることができるとともに、ダウンロード用に特化されたメディアを使用することによる操作の簡略化も実現できる。例えばユーザーが情報処理操作用の画像からダウンロード処理に進め、さらにダウンロードする対象を選択するといったような操作も省略できる。


【手続補正１３】
【補正対象書類名】明細書
【補正対象項目名】０１５２
【補正方法】変更
【補正の内容】
【０１５２】
また本発明の請求項２によれば、表示手段に初期選択画像が表示されており、ユーザーはその初期選択画面から使用目的を選択できるようになるため、ユーザーにとって、その端末装置で実行可能な動作機能が理解しやすいものとできる。


【手続補正１４】
【補正対象書類名】明細書
【補正対象項目名】０１５３
【補正方法】変更
【補正の内容】
【０１５３】
また本発明の請求項３によれば、情報処理機能手段はデータ通信を介した情報処理動作として、例えば外部サーバからの情報検索、ダウンロードや、ネットワークへの電子メールその他の情報のアップロードなどが可能となり、端末装置を用いた多様な情報処理が可能となる。


【手続補正１５】
【補正対象書類名】明細書
【補正対象項目名】０１５４
【補正方法】変更
【補正の内容】
【０１５４】
また本発明の請求項４によれば、ユーザーは表示手段の表示内容に応じて画面上の特定の位置に触れるというタッチパネル操作が可能となり、より簡易な操作が可能となる。


【手続補正１６】
【補正対象書類名】明細書
【補正対象項目名】０１５５
【補正方法】変更
【補正の内容】
【０１５５】
また本発明の請求項５によれば、表示手段に表示させる情報処理操作用の画像において、例えばキーボードなどの操作入力装置の画像が表示される。従ってユーザーは画面上でのキーボード等による操作入力が可能になるとともに、端末装置はユーザーに対して操作入力装置のイメージにより、わかりやすい操作方式を提供できる。また、その表示する操作入力装置により多様な操作入力が実現できる。


【手続補正１７】
【補正対象書類名】明細書
【補正対象項目名】０１５６
【補正方法】変更
【補正の内容】
【０１５６】
また制御手段は、所定の時点で、電話操作用の画像と情報処理操作用の画像のいずれでもないを画像を表示させることができる。例えばスクリーンセーバなどとして機能する画像や、デモンストレーションなどの画像、さらには広告画像などを表示させることにより、端末装置の機能を拡大したり多様化することができる。